(57)【特許請求の範囲】
【請求項１】
回転数を変更することによりデシカント機能と全熱交換機能を切り替えて外気を除湿する兼用ローターと、
外気の温湿度を取得する外気温湿度取得部と、
前記外気温湿度取得部から取得した値と所定の温湿度条件を比較して、前記兼用ローターの回転数を制御する制御部と、
を備え、
前記制御部は、あらかじめ、
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通るデシカント勾配線と、
を設定し、
外気の湿度が目標湿度ラインより低湿度の場合、前記兼用ローターを全熱交換機能で使用する全熱交モード領域、
外気の温湿度がデシカント勾配線と目標湿度ラインの間の場合、前記兼用ローターをデシカント機能で使用するデシカントモード領域、
外気の温湿度がデシカント勾配線と目標湿度ラインよりも高温湿度の場合、前記兼用ローターを全熱交換機能で使用する全熱交＋アフタークールモード領域
を設定する
ことを特徴とする空調システム。
【請求項２】
前記兼用ローターを通過する前の外気を冷却するプレクーラーと、
前記兼用ローターを通過した外気と居室から送風される還気を熱交換する顕熱ローターと、
前記顕熱ローターを通過した外気に前記居室から送風される還気を混合する混合部と、
前記混合部を通過した外気を冷却し、居室側に送風するアフタークーラーと、
前記顕熱ローターを通過した還気が加熱され、前記兼用ローターに送風される再生ヒーターと、
を備える
ことを特徴とする請求項１に記載の空調システム。
【請求項３】
前記制御部は、全熱交モード領域では、
前記兼用ローターを全熱交換機能で使用するようにＯＮとし、
前記プレクーラー、前記顕熱ローター、前記アフタークーラー、及び前記再生ヒーターをＯＦＦとする
ことを特徴とする請求項２に記載の空調システム。
【請求項４】
前記制御部は、デシカントモード領域では、
前記兼用ローターをデシカント機能で使用するようにＯＮとし、
前記顕熱ローター、及び前記再生ヒーターをＯＮとし、
前記プレクーラー及び前記アフタークーラーをＯＦＦとする
ことを特徴とする請求項２又は３に記載の空調システム。
【請求項５】
前記制御部は、前記全熱交＋アフタークールモード領域では、
前記兼用ローターを全熱交換機能で使用するようにＯＮとし、
前記アフタークーラーをＯＮとし、
前記プレクーラー、前記顕熱ローター、及び前記再生ヒーターをＯＦＦとし、
前記居室の潜熱負荷に応じて、前記混合部への還気の量を制御する
ことを特徴とする請求項２乃至４のいずれか１つに記載の空調システム。
【請求項６】
前記制御部は、前記全熱交＋アフタークールモード領域で、且つ、居室内の温度があらかじめ設定した温度よりも低い場合、
前記兼用ローターをデシカント機能で使用するようにＯＮとし、
前記プレクーラー、前記顕熱ローター、及び前記再生ヒーターをＯＮとし、
前記アフタークーラーをＯＦＦとする
ことを特徴とする請求項５に記載の空調システム。
【請求項７】
外気の温湿度を取得する手順と、
前記外気の温湿度と所定の温湿度条件を比較して、兼用ローターの回転数を切り換える手順と、
を有し、
あらかじめ
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通る勾配線と、
を設定する手順と、
外気の湿度が目標湿度ラインより低湿度の場合、前記兼用ローターを全熱交換機能で使用する全熱交モード領域、
外気の温湿度が勾配線と目標湿度ラインの間の場合、前記兼用ローターをデシカント機能で使用するデシカントモード領域、
外気の温湿度が勾配線と目標湿度ラインよりも高温湿度の場合、前記兼用ローターを全熱交換機能で使用する全熱交＋アフタークールモード領域
に属するとそれぞれ判定する手順と、
を有する
ことを特徴とする空調方法。
【請求項８】
前記全熱交モード領域では、
外気を全熱交換機能で使用する前記兼用ローターに通過させ、冷却除湿する手順を有する
ことを特徴とする請求項７に記載の空調方法。
【請求項９】
前記デシカントモード領域では、
前記兼用ローターをデシカント機能で使用し、外気を除湿する手順と、
前記兼用ローターで除湿された外気の熱を顕熱ローターで奪う手順と、
を有する
ことを特徴とする請求項７又は８に記載の空調方法。
【請求項１０】
前記全熱交＋アフタークールモード領域では、
外気を全熱交換機能で使用する前記兼用ローターに通過させ、冷却除湿する手順と、
居室の湿度が所定の設定値より高い場合、前記兼用ローターを通過した外気に、前記居室から送風された還気を混合する手順と、
還気と混合した外気を冷却除湿する手順と、
を有する
ことを特徴とする請求項７乃至９のいずれか１つに記載の空調方法。
【請求項１１】
前記全熱交＋アフタークールモード領域では、居室内の温度があらかじめ設定した温度よりも低い場合、
前記兼用ローターをデシカント機能で使用し、外気を除湿する手順と、
前記兼用ローターで除湿された外気の熱を顕熱ローターで奪う手順と、
を有する
ことを特徴とする請求項１０に記載の空調方法。
【発明の詳細な説明】
【技術分野】
【０００１】
本発明は、潜熱と顕熱を分離して処理する潜熱顕熱分離方式の空調システム及び空調方法に関する。
【背景技術】
【０００２】
図１４は、一般的なデシカント方式の空調システムを示す図である。図１５は、一般的なデシカント方式の空調システムの空気線図である。
【０００３】
近年、潜熱と顕熱を分離して処理するデシカント方式の空調システム１００が用いられている（特許文献１参照）。
【０００４】
図１４及び１５に示すように、一般的なデシカント方式の空調システム１００では、高負荷時に以下のように処理する。
（１）外気ＯＡを第１空調機１１０に取り入れ、プレクーラー１１１で冷却する。
（２）プレクーラー１１１で冷却された空気をデシカントローター１１２で除湿する。
（３）デシカントローター１１２で除湿された空気の顕熱を顕熱ローター１１３で奪う。
（４）顕熱ローター１１３で顕熱を奪われた空気を第１空調機１１０から第２空調機１２０に送風する。
（５）第１空調機１１０から第２空調機１２０に送風された空気及び居室１３０から第２空調機１２０に送風された還気ＲＡを冷却コイル１２１で冷却する。
（６）冷却コイル１２１で冷却された空気をファン１２２によって居室１３０に給気ＳＡとして送風する。
（Ｗ１）居室１３０から送風された還気ＲＡを第１空調機１１０に取り入れ、（４）において奪った顕熱を用いて顕熱ローター１１３で加熱する。
（Ｗ２）顕熱ローター１１３で加熱した空気を再生ヒーター１１５でさらに加熱する。
（Ｗ３）再生ヒーター１１５で加熱された空気をデシカントローター１１２に通過させ、潜熱を除去し、排気ＥＡとして送風する。
【先行技術文献】
【特許文献】
【０００５】
【特許文献１】特開平６−２２１６１８号公報
【発明の概要】
【発明が解決しようとする課題】
【０００６】
しかしながら、従来のような一般的なデシカント方式の空調システム１００では、高負荷時に、プレクーラー１１１での冷却量に関わらず所定量のデシカントローターの潜熱除去のための再生エネルギが必要となるので、図１４の（Ｗ２）の再生ヒーター１１５で多くのエネルギを必要とするため、全熱交換機よりもシステム効率が悪くなる場合があった。また、デシカント方式の空調システム１００は、高いシール性が求められ、高いコストが必要となっていた。
【０００７】
本発明は上記課題を解決し、低コストで効率の良い潜熱顕熱分離方式の空調システム及び空調方法を提供することを目的とする。
【課題を解決するための手段】
【０００８】
本発明にかかる空調システムは、
回転数を変更することによりデシカント機能と全熱交換機能を切り替えて外気を除湿する兼用ローターと、
外気の温湿度を取得する外気温湿度取得部と、
前記外気温湿度取得部から取得した値と所定の温湿度条件を比較して、前記兼用ローターの回転数を制御する制御部と、
を備え、
前記制御部は、あらかじめ、
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通るデシカント勾配線と、
を設定し、
外気の湿度が目標湿度ラインより低湿度の場合、前記兼用ローターを全熱交換機能で使用する全熱交モード領域、
外気の温湿度がデシカント勾配線と目標湿度ラインの間の場合、前記兼用ローターをデシカント機能で使用するデシカントモード領域、
外気の温湿度がデシカント勾配線と目標湿度ラインよりも高温湿度の場合、前記兼用ローターを全熱交換機能で使用する全熱交＋アフタークールモード領域
を設定する
ことを特徴とする。
【００１０】
また、本発明にかかる空調システムは、
前記兼用ローターを通過する前の外気を冷却するプレクーラーと、
前記兼用ローターを通過した外気と居室から送風される還気を熱交換する顕熱ローターと、
前記顕熱ローターを通過した外気に前記居室から送風される還気を混合する混合部と、
前記混合部を通過した外気を冷却し、居室側に送風するアフタークーラーと、
前記顕熱ローターを通過した還気が加熱され、前記兼用ローターに送風される再生ヒーターと、
を備える
ことを特徴とする。
【００１１】
また、本発明にかかる空調システムは、
前記制御部は、全熱交モード領域では、
前記兼用ローターを全熱交換機能で使用するようにＯＮとし、
前記プレクーラー、前記顕熱ローター、前記アフタークーラー、及び前記再生ヒーターをＯＦＦとする
ことを特徴とする。
【００１２】
また、本発明にかかる空調システムは、
前記制御部は、デシカントモード領域では、
前記兼用ローターをデシカント機能で使用するようにＯＮとし、
前記顕熱ローター、及び前記再生ヒーターをＯＮとし、
前記プレクーラー及び前記アフタークーラーをＯＦＦとする
ことを特徴とする。
【００１３】
また、本発明にかかる空調システムは、
前記制御部は、前記全熱交＋アフタークールモード領域では、
前記兼用ローターを全熱交換機能で使用するようにＯＮとし、
前記アフタークーラーをＯＮとし、
前記プレクーラー、前記顕熱ローター、及び前記再生ヒーターをＯＦＦとし、
前記居室の潜熱負荷に応じて、前記混合部への還気の量を制御する
ことを特徴とする。
【００１４】
また、本発明にかかる空調システムは、
前記制御部は、前記全熱交＋アフタークールモード領域で、且つ、居室内の温度があらかじめ設定した温度よりも低い場合、
前記兼用ローターをデシカント機能で使用するようにＯＮとし、
前記プレクーラー、前記顕熱ローター、及び前記再生ヒーターをＯＮとし、
前記アフタークーラーをＯＦＦとする
ことを特徴とする。
【００１５】
本発明にかかる空調方法は、
外気の温湿度を取得する手順と、
前記外気の温湿度と所定の温湿度条件を比較して、兼用ローターの回転数を切り換える手順と、
を有し、
あらかじめ
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通る勾配線と、
が設定する手順と、
外気の湿度が目標湿度ラインより低湿度の場合、前記兼用ローターを全熱交換機能で使用する全熱交モード領域、
外気の温湿度が勾配線と目標湿度ラインの間の場合、前記兼用ローターをデシカント機能で使用するデシカントモード領域、
外気の温湿度が勾配線と目標湿度ラインよりも高温湿度の場合、前記兼用ローターを全熱交換機能で使用する全熱交＋アフタークールモード領域
に属するとそれぞれ判定する手順と、
を有する
ことを特徴とする。
【００１７】
また、本発明にかかる空調方法は、
前記全熱交モード領域では、
外気を全熱交換機能で使用する前記兼用ローターに通過させ、冷却除湿する手順を有する
ことを特徴とする。
【００１８】
また、本発明にかかる空調方法は、
前記デシカントモード領域では、
前記兼用ローターをデシカント機能で使用し、外気を除湿する手順と、
前記兼用ローターで除湿された外気の熱を顕熱ローターで奪う手順と、
を有する
ことを特徴とする。
【００１９】
また、本発明にかかる空調方法は、
前記全熱交＋アフタークールモード領域では、
外気を全熱交換機能で使用する前記兼用ローターに通過させ、冷却除湿する手順と、
居室の湿度が所定の設定値より高い場合、前記兼用ローターを通過した外気に、前記居室から送風された還気を混合する手順と、
還気と混合した外気を冷却除湿する手順と、
を有する
ことを特徴とする。
【００２０】
また、本発明にかかる空調方法は、
前記全熱交＋アフタークールモード領域では、居室内の温度があらかじめ設定した温度よりも低い場合、
前記兼用ローターをデシカント機能で使用し、外気を除湿する手順と、
前記兼用ローターで除湿された外気の熱を顕熱ローターで奪う手順と、
を有する
ことを特徴とする。
【発明の効果】
【００２１】
本発明にかかる空調システムは、
回転数を変更することによりデシカント機能と全熱交換機能を切り替えて外気を除湿する兼用ローターと、
外気の温湿度を取得する外気温湿度取得部と、
前記外気温湿度取得部から取得した値と所定の温湿度条件を比較して、前記兼用ローターの回転数を制御する制御部と、
を備えるので、
実質的に全熱交換ローターをベースとした空調システムで構成することができ、低コストで効率の良い潜熱顕熱分離方式の空調システムを提供することが可能となる。
【００２２】
また、本発明にかかる空調システムは、
前記制御部は、あらかじめ、
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通るデシカント勾配線と、
を設定し、
外気の湿度が目標湿度ラインより低湿度の場合、前記兼用ローターを全熱交換機能で使用する全熱交モード領域、
外気の温湿度がデシカント勾配線と目標湿度ラインの間の場合、前記兼用ローターをデシカント機能で使用するデシカントモード領域、
外気の温湿度がデシカント勾配線と目標湿度ラインよりも高温湿度の場合、前記兼用ローターを全熱交換機能で使用する全熱交＋アフタークールモード領域
を設定するので、
外気の状態に応じて的確に温度制御することが可能となる。
【００２３】
また、本発明にかかる空調システムは、
前記兼用ローターを通過する前の外気を冷却するプレクーラーと、
前記兼用ローターを通過した外気と居室から送風される還気を熱交換する顕熱ローターと、
前記顕熱ローターを通過した外気に前記居室から送風される還気を混合する混合部と、
前記混合部を通過した外気を冷却し、居室側に送風するアフタークーラーと、
前記顕熱ローターを通過した還気が加熱され、前記兼用ローターに送風される再生ヒーターと、
を備えるので、
簡単な構成でシステムを構成することが可能となる。
【００２４】
また、本発明にかかる空調システムは、
前記制御部は、全熱交モード領域では、
前記兼用ローターを全熱交換機能で使用するようにＯＮとし、
前記プレクーラー、前記顕熱ローター、前記アフタークーラー、及び前記再生ヒーターをＯＦＦとするので、
状況に応じた効率的な運転が可能となる。
【００２５】
また、本発明にかかる空調システムは、
前記制御部は、デシカントモード領域では、
前記兼用ローターをデシカント機能で使用するようにＯＮとし、
前記顕熱ローター、及び前記再生ヒーターをＯＮとし、
前記プレクーラー及び前記アフタークーラーをＯＦＦとするので、
状況に応じた効率的な運転が可能となる。
【００２６】
また、本発明にかかる空調システムは、
前記制御部は、前記全熱交＋アフタークールモード領域では、
前記兼用ローターを全熱交換機能で使用するようにＯＮとし、
前記アフタークーラーをＯＮとし、
前記プレクーラー、前記顕熱ローター、及び前記再生ヒーターをＯＦＦとするので、
状況に応じた効率的な運転が可能となる。
【００２７】
また、本発明にかかる空調システムは、
前記制御部は、前記全熱交＋アフタークールモード領域で、且つ、居室内の温度があらかじめ設定した温度よりも低い場合、
前記兼用ローターをデシカント機能で使用するようにＯＮとし、
前記プレクーラー、前記顕熱ローター、及び前記再生ヒーターをＯＮとし、
前記アフタークーラーをＯＦＦとするので、
状況に応じた効率的な運転が可能となる。
【００２８】
本発明にかかる空調方法は、
外気の温湿度を取得する手順と、
前記外気の温湿度と所定の温湿度条件を比較して、兼用ローターの回転数を切り換える手順と、
を有するので、
実質的に全熱交換ローターをベースとした空調システムで構成することができ、低コストで効率の良い潜熱顕熱分離方式の空調システムを提供することが可能となる。
【００２９】
また、本発明にかかる空調方法は、
あらかじめ
還気が前記兼用ローターを通過する前の再生温度と前記兼用ローターの性能から決定する除湿ラインと、
所定の目標湿度ラインと、
前記兼用ローターの性能から除湿時の勾配を求め、前記目標湿度ラインと前記除湿ラインの交点を通る勾配線と、
が設定する手順と、
外気の湿度が目標湿度ラインより低湿度の場合、前記兼用ローターを全熱交換機能で使用する全熱交モード領域、
外気の温湿度が勾配線と目標湿度ラインの間の場合、前記兼用ローターをデシカント機能で使用するデシカントモード領域、
外気の温湿度が勾配線と目標湿度ラインよりも高温湿度の場合、前記兼用ローターを全熱交換機能で使用する全熱交＋アフタークールモード領域
に属するとそれぞれ判定する手順と、
を有するので、
外気の状態に応じて的確に温度制御することが可能となる。
【００３０】
また、本発明にかかる空調方法は、
前記全熱交モード領域では、
外気を全熱交換機能で使用する前記兼用ローターに通過させ、冷却除湿する手順を有するので、
状況に応じた効率的な運転が可能となる。
【００３１】
また、本発明にかかる空調方法は、
前記デシカントモード領域では、
前記兼用ローターをデシカント機能で使用し、外気を除湿する手順と、
前記兼用ローターで除湿された外気の熱を顕熱ローターで奪う手順と、
を有するので、
状況に応じた効率的な運転が可能となる。
【００３２】
また、本発明にかかる空調方法は、
前記全熱交＋アフタークールモード領域では、
外気を全熱交換機能で使用する前記兼用ローターに通過させ、冷却除湿する手順と、
居室の湿度が所定の設定値より低い場合、前記兼用ローターを通過した外気に、前記居室から送風された還気を混合する手順と、
還気と混合した外気を冷却除湿する手順と、
を有するので、
状況に応じた効率的な運転が可能となる。
【００３３】
また、本発明にかかる空調方法は、
前記全熱交＋アフタークールモード領域では、居室内の温度があらかじめ設定した温度よりも低い場合、
前記兼用ローターをデシカント機能で使用し、外気を除湿する手順と、
前記兼用ローターで除湿された外気の熱を顕熱ローターで奪う手順と、
を有するので、
状況に応じた効率的な運転が可能となる。
【図面の簡単な説明】
【００３４】
【図１】本実施形態の潜熱顕熱分離方式の空調システムを示す図である。
【図２】本実施形態の潜熱顕熱分離方式の空調システムの各運転モード領域を示す空気線図である。
【図３】全熱交＋アフタークールモード領域での第１空調機の使用状況を示す。
【図４】第１空調機の全熱交＋アフタークールモード領域での空気線図を示す。
【図５】プレクールデシカントモードでの第１空調機１０の使用状況を示す。
【図６】第１空調機１０のプレクールデシカントモードでの空気線図を示す。
【図７】デシカントモードでの第１空調機１０の使用状況を示す。
【図８】第１空調機１０のデシカントモードでの空気線図を示す。
【図９】全熱交モードでの第１空調機１０の使用状況を示す。
【図１０】第１空調機１０の全熱交モードでの空気線図を示す。
【図１１】他の例の全熱交モードでの第１空調機１０の使用状況を示す。
【図１２】第１空調機１２の他の例の全熱交モードでの空気線図を示す。
【図１３】本実施形態にかかる空調システム１の制御フローチャートを示す。
【図１４】従来の空調システムを示す図である。
【図１５】従来の空調システムの空気線図である。
【図１６】他の実施形態の潜熱顕熱分離方式の空調システムを示す図である。
【発明を実施するための形態】
【００３５】
以下、図面を参照して本発明にかかる潜熱顕熱分離型の空調システム１の実施形態を説明する。
【００３６】
図１は、本実施形態の潜熱顕熱分離方式の空調システムを示す図である。
【００３７】
本実施形態の潜熱顕熱分離方式の空調システム１は、外気ＯＡに居室３０から送風された還気ＲＡの一部を混合して第２空調機２０に送風すると共に、還気ＲＡの一部を排気ＥＡとして外部に排出する第１空調機１０と、第１空調機１０から送風される外気ＯＡ及び還気ＲＡの一部を取り入れ、居室３０に送風する第２空調機２０と、を備える。
【００３８】
第１空調機１０は、プレクーラー１１と、全熱交換機能とデシカント機能を有する兼用ローター１２と、顕熱ローター１３と、アフタークーラー１４と、再生ヒーター１５を有する。また、顕熱ローター１３とアフタークーラー１４の間には、還気ＲＡを外気ＯＡに混合する混合部５０を有する。
【００３９】
プレクーラー１１は、第１制御バルブＣＶ１によって冷水の流量が制御され、外気ＯＡを冷却する。
【００４０】
兼用ローター１２は、回転数に応じてデシカント機能と全熱交換機能を使い分けることが可能なローターである。兼用ローター１２は、回転数が２〜２０ｒｐｈ程度の場合、デシカントとして機能し、主に除湿を行う。兼用ローター１２は、回転数が８〜２０ｒｐｍ程度の場合、全熱交換として機能し、主に排気ＥＡとの全熱交換を行う。兼用ローター１２の回転数の変更は、第１駆動部Ｍ１の回転数を変更してもよいし、異なる減速比を有する図示しない減速部材を切り替えることで変更してもよい。
【００４１】
顕熱処理ローター１３は、第２駆動部Ｍ２によって回転され、外気ＯＡと還気ＲＡとで顕熱交換する。顕熱ローター１３の下流の混合部５０では、還気ＲＡを外気ＯＡに混合する。還気ＲＡの量は、調整ダンパＶＤによって制御される。
【００４２】
アフタークーラー１４は、第２制御バルブＣＶ２によって冷水の流量が制御され、外気ＯＡを冷却する。アフタークーラー１４は、混合部５０で還気ＲＡを外気ＯＡに混合することで冷却除湿の目標露点温度を上げることができ、一般的な空調で用いる７℃冷水を使用できる。
【００４３】
再生ヒーター１５は、排熱やヒートポンプの室熱を用いることでデシカントローター再生用空気の温度を上げることができる。再生ヒーター１５に流れる流量は、第３制御バルブＣＶ３によって制御する。
【００４４】
還気ＲＡは、居室３０から流路３１を経て第１空調機１０に送風される。流路３１には、調整ダンパＶＤが設けられ、流量を調節することが可能となっている。なお、調整ダンパＶＤは、各送風箇所に対してそれぞれ設けてもよい。
【００４５】
また、第２空調機２０は、冷却コイル２１と、温水コイル２２と、居室３０に送風するための第３ファンＦ３と、を有する。冷却コイル２１は、顕熱のみを処理するため高温冷水（１４℃〜１６℃程度）を用いることができ、冷凍機の効率が向上する。高温冷水の流量は、第４制御バルブＣＶ４によって制御する。また、温水コイル２２の温水の流量は、第５制御バルブＣＶ５によって制御する。
【００４６】
第１制御バルブＣＶ１〜第５制御バルブＣＶ５、第１駆動部Ｍ１、第２駆動部Ｍ２、
及び調整ダンパＶＤは、図示しない制御部によって制御される。すなわち、制御部は、兼用ローター１２の回転数を制御し、デシカント機能と全熱交換機能を切り替えることが可能である。
【００４７】
制御部への入力は、外気の温度を取得する外気温度取得部Ｔｏ、外気の湿度を取得する外気湿度取得部Ｈｏ、居室３０の温度を取得する居室温度取得部Ｔｉ、居室の湿度を取得する居室湿度取得部Ｈｉ、プレクーラー１１と兼用ローター１２の間の外気の温度を取得する第１温度取得部Ｔ１、アフタークーラー１４後の外気の温度を取得する第２温度取得部Ｔ２、再生ヒーター１５後の還気の温度を取得する第３温度取得部Ｔ３、及びアフタークーラー１４後の外気の湿度を取得する第１湿度取得部Ｈ１から行うことが好ましい。なお、外気温度取得部Ｔｏと外気湿度取得部Ｈｏとで外気温湿度取得部を構成する。
【００４８】
図２は、本実施形態の潜熱顕熱分離方式の空調システムの各運転モード領域を示す空気線図である。
【００４９】
本実施形態の潜熱顕熱分離方式の空調システムでは、各運転モード領域を示す空気線図を用いて、第１空調機１０の運転モードを制御する。本実施形態の潜熱顕熱分離方式の空調システムは、空気線図において、各運転モードに対応した領域を形成する。ここで、各運転モード領域の決定方法について説明する。
【００５０】
まず、再生温度ＷＴ３と兼用ローター１２のデシカント性能から除湿ラインを決定する。除湿ラインは、再生温度ＷＴ３を通るラインを１００％とし、例えば９０％程度に設定することが好ましい。なお、９０％に限らず。少なくとも１００％よりも小さければ好ましい。続いて、目標湿度ラインを引く。次に、兼用ローター１２のデシカント性能から除湿時の勾配を求め、目標湿度ラインと除湿ラインの交点Ｐからデシカント勾配線を引く。これらの線は、あらかじめ設定しておき、制御部又は外部装置の記憶部に記憶させておくことが好ましい。なお、温度Ｔａは、交点Ｐでの温度を示す。
【００５１】
そして、目標湿度ラインより低湿度を全熱交モード領域、デシカント勾配線と目標湿度ラインの間をデシカントモード領域、デシカント勾配線と目標湿度ラインよりも高湿度を全熱交＋アフタークールモード領域と設定する。これらの領域もあらかじめ設定しておき、制御部又は外部装置の記憶部に記憶させておくことが好ましい。
【００５２】
制御部は、外気温度取得部Ｔｏ及び外気湿度取得部Ｈｏから取得した値と所定の温湿度条件を構成する各モード領域を比較して、兼用ローター１２の回転数を制御する。
【００５３】
次に、各モード領域における処理について説明する。
【００５４】
まず、全熱交＋アフタークールモード領域について説明する。全熱交＋アフタークールモード領域では、通常、第１空調機１０の兼用ローター１２は、クラッチ等で回転数を８〜２０ｒｐｍに変速し、全熱交換機能で使用する全熱交＋アフタークールモードで処理する。ただし、図１に示した居室３０の温度が予め設定した温度よりも低い場合には、過冷却であると判断し、プレクールデシカントモードに移行する。なお、全熱交＋アフタークールモード領域で、居室３０の温度が予め設定した温度よりも低い場合に加えて、第２空調機２０の第４制御バルブＣＶ４が閉である場合に、プレクールデシカントモードに移行することにしてもよい。
【００５５】
図３は、全熱交＋アフタークールモードでの第１空調機１０の使用状況を示す。図４は、第１空調機１０の全熱交＋アフタークールモードでの空気線図を示す。なお、図３における実線はＯＮ状態の機器、波線はＯＦＦ状態の機器を示す。
【００５６】
全熱交＋アフタークールモードでは、通常、第１空調機１０の兼用ローター１２は、クラッチ等で回転数を８〜２０ｒｐｍに変速し、全熱交換機能で使用する。また、全熱交＋アフタークールモードでは、アフタークーラー１４は使用するのでＯＮとし、プレクーラー１１、顕熱ローター１３、及び再生ヒーター１５は使用せずにＯＦＦとする。
【００５７】
全熱交＋アフタークールモードでは、潜熱顕熱分離方式の空調システム１は、以下のように処理される。
（１，２）外気ＯＡを第１空調機１０に取り入れ、第１モータＭ１を回転させて、兼用ローター１２を全熱交換機能で使用し、排気との熱交換により除湿する。
（３，４）第１湿度計Ｈ１が設定湿度以上または第２温度計Ｔ２が設定温度以上で、且つ、図１に示した居室３０の湿度計Ｈｉが所定の設定値より高い場合、調整ダンパＶＤを制御して、全熱交換機能で使用した兼用ローター１２で冷却除湿された外気ＯＡに、居室３０から送風された所定の量の還気ＲＡを混合部５０で混合する。還気ＲＡが増加すると、居室３０内の湿度は低下し、還気ＲＡが減少すると、居室３０内の湿度は増加する。すなわち、居室３０の潜熱負荷に応じて、混合部５０への還気ＲＡの量を制御するので、状況に応じた効率的な運転が可能となる。
（５）アフタークーラー１４で冷却除湿された外気ＯＡを第１空調機１０から第２空調機２０に送風する。
【００５８】
図１に示す第２空調機２０では、居室３０が所定の設定温度となるように、冷却コイル２１及び温水コイル２２に流れる冷水及び温水の水量を第４バルブＣＶ４及び第５バルブＣＶ５でそれぞれ制御する。すなわち、第１空調機１０から送風された外気ＯＡ及び居室３０から送風された還気ＲＡは、冷却コイル２１及び温水コイル２２を通過して、適温で第３ファンＦ３によって居室３０に給気ＳＡとして送風される。
【００５９】
（Ｗ１，Ｗ２，Ｗ３）居室３０から第１空調機１０に送風された還気ＲＡは、全熱交換ローターとしての兼用ローター１２を通過させ、熱交換して排気ＥＡとして送風する。なお、顕熱ローター１３及び再生ヒーター１５は使用しない。
【００６０】
このように、全熱交＋アフタークールモードにおける潜熱顕熱分離方式の空調システム１の第１空調機１０は、比較的高温の外気ＯＡを、全熱交換ローターとして機能する兼用ローター１２で排気との熱交換により冷却除湿するので、デシカントローターとして使用する場合に必要な高温の再生空気が不要となるため、再生ヒーター１５を使用する必要がなくなり、再生ヒーター１５の作動のためのエネルギが不要となり、一般的なデシカント方式より省エネルギを実現することが可能となる。
【００６１】
しかしながら、兼用ローター１２で除湿した後の空気は、まだ高温で目標湿度より高い湿度であり、さらに冷却除湿する必要があるが、このまま７℃程度の冷水でアフタークーラー１４で冷却すると、目標湿度まで達せず、除湿量が不足し、潜熱顕熱分離空調ができなくなる。
【００６２】
そこで、本実施形態の潜熱顕熱分離方式の空調システム１は、兼用ローター１２で除湿した後、調整ダンパＶＤを開いて還気ＲＡを外気ＯＡに混合して、室内に送風する空気の量を増やし、総除湿量を増やすことで、アフタークーラー１４のための冷水の温度として、一般的な空調で用いる７℃冷水を使用することができ、効率の良い除湿を可能としたものである。
【００６３】
図５は、プレクールデシカントモードでの第１空調機１０の使用状況を示す。図６は、第１空調機１０のプレクールデシカントモードでの空気線図を示す。なお、図５における実線はＯＮ状態の機器、波線はＯＦＦ状態の機器を示す。
【００６４】
全熱交＋アフタークールモード領域では、図１に示した居室３０の温度が設定温度よりも所定の値以上低い場合には、過冷却であると判断し、プレクールデシカントモードに移行する。なお、全熱交＋アフタークールモード領域で、居室３０の温度が予め設定した温度よりも低い場合に加えて、第２空調機２０の第４制御バルブＣＶ４が閉である場合に、プレクールデシカントモードに移行することにしてもよい。
【００６５】
プレクールデシカントモードでは、第１空調機１０の兼用ローター１２は、クラッチ等で回転数を２〜２０ｒｐｈに下げて、デシカント機能で使用する。また、プレクールデシカントモードでは、プレクーラー１１、顕熱ローター１３、及び再生ヒーター１５は使用するのでＯＮとし、アフタークーラー１４は使用せずにＯＦＦとする。なお、制御誤差を考慮する場合には、アフタークーラー１４を使用してもよい。
【００６６】
プレクールデシカントモードでは、潜熱顕熱分離方式の空調システム１は、以下のように処理される。
（１）外気ＯＡを第１空調機１０に取り入れ、デシカント機能で使用する兼用ローター１２の除湿能力で目標湿度を達成できる温度まで、プレクーラー１１によってプレクーリングする。
（２）兼用ローター１２の回転数を下げることによりデシカント機能で使用し、プレクーリングされた外気ＯＡを除湿する。
（３）兼用ローター１２で除湿された外気ＯＡの熱を顕熱ローター１３で奪う。
（４，５，６）顕熱ローター１３で熱を奪われた外気ＯＡは、調整ダンパＶＤを閉じることで、還気ＲＡが混合されず、アフタークーラー１４も使用されず、そのまま第１空調機１０から第２空調機２０に送風される。
【００６７】
図１に示す第２空調機２０では、居室３０が所定の設定温度となるように、冷却コイル２１及び温水コイル２２に流れる冷水及び温水の水量を第４バルブＣＶ４及び第５バルブＣＶ５でそれぞれ制御する。第１空調機１０から送風された外気ＯＡ及び居室３０から送風された還気ＲＡは、冷却コイル２１及び温水コイル２２を通過して、適温で第３ファンＦ３によって居室３０に給気ＳＡとして送風される。
【００６８】
（Ｗ１）居室３０から送風された還気ＲＡを第１空調機１０に取り入れ、（３）において奪った熱を用いて顕熱ローター１３で加熱する。
（Ｗ２）顕熱ローター１３で加熱した還気ＲＡを再生ヒーター１５で加熱する。
（Ｗ３）再生ヒーター１５で加熱された還気ＲＡをデシカント機能の兼用ローター１２に通過させ、潜熱を兼用ローター１２から除去し、兼用ローター１２を再生して、排気ＥＡとして送風する。
【００６９】
このように、プレクールデシカントモードにおける潜熱顕熱分離方式の空調システム１では、負荷にあわせて効率の良い潜熱顕熱分離空調をすることができ、効率良く対応することが可能となる。また、プレクーラー１１によって、プレクーリングをすることで、室内顕熱負荷が小さくても室温は再熱をせずに適温に保たれる。
【００７０】
また、外気温湿度が高く、デシカント機能の兼用ローター１２で除湿することが困難であって、アフタークールで冷却除湿すると室温が低下してしまう低顕熱負荷の場合、プレクールを行うことで、低顕熱負荷であっても再熱が不要となり、省エネルギとなる。
【００７１】
次に、デシカントモード領域について説明する。
【００７２】
図７は、デシカントモードでの第１空調機１０の使用状況を示す。図８は、第１空調機１０のデシカントモードでの空気線図を示す。なお、図７における実線はＯＮ状態の機器、波線はＯＦＦ状態の機器を示す。
【００７３】
デシカントモード領域では、第１空調機１０の兼用ローター１２は、クラッチ等で回転数を２〜２０ｒｐｈに変速し、デシカント機能で使用するデシカントモードで処理する。また、デシカントモードでは、顕熱ローター１３、及び再生ヒーター１５は使用するのでＯＮとし、プレクーラー１１及びアフタークーラー１４は使用せずにＯＦＦとする。
【００７４】
デシカントモードでは、潜熱顕熱分離方式の空調システム１は、以下のように処理される。
（１，２）兼用ローター１２の回転数を下げることでデシカント機能で使用し、外気ＯＡを除湿する。
（３）兼用ローター１２で除湿された外気ＯＡの熱を顕熱ローター１３で奪う。
（４，５，６）顕熱ローター１３で熱を奪われた外気ＯＡは、還気ＲＡを混合されず、アフタークーラー１４も使用されず、そのまま第１空調機１０から第２空調機２０に送風される。
【００７５】
図１に示す第２空調機２０では、居室３０が所定の設定温度となるように、冷却コイル２１及び温水コイル２２に流れる冷水及び温水の水量を第４バルブＣＶ４及び第５バルブＣＶ５でそれぞれ制御する。第１空調機１０から送風された外気ＯＡ及び居室３０から送風された還気ＲＡは、冷却コイル２１及び温水コイル２２を通過して、適温で第３ファンＦ３によって居室３０に給気ＳＡとして送風される。
【００７６】
（Ｗ１）居室３０から送風された還気ＲＡを第１空調機１０に取り入れ、（３）において奪った熱を用いて顕熱ローター１３で加熱する。
（Ｗ２）顕熱ローター１３で加熱した還気ＲＡを再生ヒーター１５で加熱する。
（Ｗ３）再生ヒーター１５で加熱された還気ＲＡをデシカント機能の兼用ローター１２に通過させ、潜熱を兼用ローター１２から除去し、兼用ローター１２を再生して、排気ＥＡとして送風する。
【００７７】
このように、デシカントモードにおける潜熱顕熱分離方式の空調システム１では、負荷にあわせて効率の良い潜熱顕熱分離空調をすることができ、効率良く対応することが可能となる。
【００７８】
なお、このデシカントモードでは、図１に示した居室３０の湿度Ｈｉが設定値よりも低い場合、図８に示すように、潜熱顕熱分離方式の空調システム１は、以下のように処理される。
（１，２）兼用ローター１２の回転数を下げることでデシカント機能で使用し、外気ＯＡを除湿する。
（３）兼用ローター１２で除湿された外気ＯＡの熱を顕熱ローター１３で奪う。
（４，５，６）顕熱ローター１３で熱を奪われた外気ＯＡは、還気ＲＡを混合されず、アフタークーラー１４も使用されず、そのまま第１空調機１０から第２空調機２０に送風される。
【００７９】
（Ｗ１）居室３０から送風された還気ＲＡを第１空調機１０に取り入れ、（３）において奪った熱を用いて顕熱ローター１３で加熱する。
（Ｗ２）顕熱ローター１３で加熱した還気ＲＡを再生ヒーター１５で第２再生温度ＷＴ２まで加熱する。
（Ｗ３）再生ヒーター１５で加熱された還気ＲＡをデシカント機能の兼用ローター１２に通過させ、潜熱を兼用ローター１２から除去し、兼用ローター１２を再生して、排気ＥＡとして送風する。
【００８０】
すなわち、第１再生温度ＷＴ１から第２再生温度ＷＴ２へ下げることで、再生温度の低下分だけ省エネルギとすることが可能となる。
【００８１】
次に、全熱交モード領域について説明する。全熱交モード領域では、通常、第１空調機１０の兼用ローター１２は、クラッチ等で回転数を８〜２０ｒｐｍに変速し、全熱交換機能で使用する全熱交モードで処理する。
【００８２】
図９は、全熱交モードでの第１空調機１０の使用状況を示す。図１０は、第１空調機１０の全熱交モードでの空気線図を示す。なお、図９における実線はＯＮ状態の機器、波線はＯＦＦ状態の機器を示す。
【００８３】
全熱交モードでは、通常、第１空調機１０の兼用ローター１２は、クラッチ等で回転数を８〜２０ｒｐｍに変速し、全熱交換機能で使用する。また、全熱交モードでは、プレクーラー１１、顕熱ローター１３、アフタークーラー１４、再生ヒーター１５、及び調整ダンパＶＤは使用せずにＯＦＦとする。
【００８４】
全熱交モードでは、潜熱顕熱分離方式の空調システム１は、以下のように処理される。
（１，２）外気ＯＡを第１空調機１０に取り入れ、第１モータＭ１を回転させて、兼用ローター１２を全熱交換機能で使用し、冷却除湿する。
（３，４，５，６）全熱交換機能で使用した兼用ローター１２で冷却除湿された外気ＯＡを第１空調機１０から第２空調機２０に送風する。
【００８５】
図１に示す第２空調機２０では、居室３０が所定の設定温度となるように、冷却コイル２１及び温水コイル２２に流れる冷水及び温水の水量を第４バルブＣＶ４及び第５バルブＣＶ５でそれぞれ制御する。すなわち、第１空調機１０から送風された外気ＯＡ及び居室３０から送風された還気ＲＡは、冷却コイル２１及び温水コイル２２を通過して、適温で第３ファンＦ３によって居室３０に給気ＳＡとして送風される。なお、湿度については、図示しない加湿器により加湿してもよい。
【００８６】
（Ｗ１，Ｗ２，Ｗ３）居室３０から第１空調機１０に送風された還気ＲＡは、全熱交換機能の兼用ローター１２を通過させ、熱交換して排気ＥＡとして送風する。なお、顕熱ローター１３及び再生ヒーター１５は使用しない。
【００８７】
このように、全熱交モードにおける潜熱顕熱分離方式の空調システム１の第１空調機１０は、兼用ローター１２を全熱交換として機能させるので、一般的なデシカント方式より低コストで高効率な運転を実現することが可能となる。
【００８８】
図１１は、他の例の全熱交モードでの第１空調機１０の使用状況を示す。図１２は、第１空調機１２の他の例の全熱交モードでの空気線図を示す。なお、図１１における実線はＯＮ状態の機器、波線はＯＦＦ状態の機器を示す。
【００８９】
図１１に示す他の例の全熱交モードでは、潜熱顕熱分離方式の空調システム１は、以下のように処理される。
（１，２）外気ＯＡを第１空調機１０に取り入れ、第１モータＭ１を回転させて、兼用ローター１２を全熱交換機能で使用し、熱交換により除湿する。
（３，４）図１に示した居室３０の湿度計Ｈｉが所定の設定値より高い場合、兼用ローター１２を通過した外気ＯＡに兼用ローター１２を通過していない外気ＯＡをバイパスさせて混合部５０で混合する。この場合、図示しないダンパによりバイパス空気量とローター通過空気量の合計は、バイパス以前の外気ＯＡの量と同一となるように調整することが好ましい。
（５，６）混合した外気ＯＡを第１空調機１０から第２空調機２０に送風する。
【００９０】
このように、全熱交モードにおける潜熱顕熱分離方式の空調システム１の第１空調機１０は、兼用ローター１２を全熱交換として機能させ、兼用ローター１２を通過した外気ＯＡに兼用ローター１２を通過していない外気ＯＡをバイパスさせて混合するので、全熱交換のみで湿度が上がりすぎることを抑制することが可能となる。
【００９１】
次に、本実施形態にかかる空調システム１に用いるこれらのモードの制御について説明する。
【００９２】
図１３は、本実施形態にかかる空調システム１の制御フローチャートを示す。
【００９３】
まず、ステップ１で、外気条件を取得する（ＳＴ１）。本実施形態の空調システム１では、外気条件として、図１に示した外気温度Ｔｏ及び外気湿度Ｈｏを取得する。
【００９４】
続いて、ステップ２で、取得した外気湿度Ｈｏが目標湿度以上、且つ、取得した外気温度Ｔｏが所定の温湿度条件以上であるか否かを判定する（ＳＴ２）。ステップ２における判定は、本実施形態の空調システム１では、図２のグラフを用いて、目標湿度以上且つデシカント除湿ライン以上であることが好ましい。
【００９５】
ステップ２において、取得した外気湿度Ｈｏが目標湿度以上、且つ、取得した外気温度Ｔｏが所定の温湿度条件以上である場合、ステップ３で、外気ＯＡは、全熱交＋アフタークールモード領域であると設定する。
【００９６】
次に、ステップ４で、室内顕熱負荷がアフタークール顕熱量以上か否かを判定する（ＳＴ４）。具体的には、第１湿度計Ｈ１が設定湿度以上または第２温度計Ｔ２が設定温度以上で、且つ、図１に示した居室３０の湿度計Ｈｉが所定の設定値以下の場合、室内顕熱負荷＞アフタークール顕熱量と判定する。
【００９７】
ステップ４において、室内顕熱負荷がアフタークール顕熱量以上の場合、ステップ５で、空調システム１を全熱交＋アフタークールモードとする（ＳＴ５）。
【００９８】
ステップ４において、室内顕熱負荷がアフタークール顕熱量未満の場合、ステップ６で、空調システム１をプレクールデシカントモードとする（ＳＴ６）。アフタークール後の外気ＯＡは、冷却除湿により低温となるため、室内顕熱負荷がアフタークールによる冷却顕熱量より小さくなると過冷却となり、再熱が必要となる。これを回避するためにはデシカントによる除湿が有効である。
【００９９】
また、ステップ２において、取得した外気湿度Ｈｏが目標湿度以上、且つ、取得した外気温度Ｔｏが所定の温湿度条件以上でない場合、ステップ７で、取得した外気湿度Ｈｏが目標湿度以上、且つ、取得した外気温度Ｔｏが所定の温湿度条件未満か否かを判定する（ＳＴ７）。
【０１００】
ステップ７において、取得した外気湿度Ｈｏが目標湿度以上、且つ、取得した外気温度Ｔｏ及び外気湿度Ｈｏが所定の温湿度条件未満の場合、ステップ８で、外気ＯＡは、デシカントモード領域であると設定する（ＳＴ８）。
【０１０１】
続いて、ステップ９で、空調システム１をデシカントモードとする（ＳＴ９）。
【０１０２】
ステップ７において、取得した外気湿度Ｈｏが目標湿度以上、且つ、取得した外気温度Ｔｏ及び外気湿度Ｈｏが所定の温湿度条件未満でない場合、ステップ１０で、外気ＯＡは、全熱交モード領域であると設定する（ＳＴ１０）。
【０１０３】
続いて、ステップ１１で、空調システム１を全熱交モードとする（ＳＴ１１）。
【０１０４】
このように、空調システム１を制御することによって、居室３０内の温度及び湿度を的確に制御することが可能となる。
【０１０５】
図１６は、他の実施形態の潜熱顕熱分離方式の空調システムを示す図である。
【０１０６】
図１６に示す実施形態では、アフタークーラー１４を第１アフタークーラー１４ａと第２アフタークーラー１４ｂの２段に分割する。第１アフタークーラー１４ａは高温冷水を使用し、第２アフタークーラー１４ｂは一般的な約７℃の冷水を使用する。このように、アフタークーラー１４を２段に分割することによって、冷却効率の高い高温冷水を有効に用いることが可能となる。
【０１０７】
実際の設計では、第１空調機１０からの空気の温度も一定にする場合があり、この場合にはどのモードでもアフタークーラー１４をＯＮとする場合がある。
【０１０８】
以上、本実施形態にかかる空調システム１は、回転数を変更することによりデシカント機能と全熱交換機能を切り替えて外気ＯＡを除湿する兼用ローター１２と、外気ＯＡの温湿度を取得する外気ＯＡ温湿度取得部Ｔｏ，Ｈｏと、外気ＯＡ温湿度取得部Ｔｏ，Ｈｏから取得した値と所定の温湿度条件を比較して、兼用ローター１２の回転数を制御する制御部と、を備えるので、実質的に全熱交換ローターをベースとした空調システム１で構成することができ、低コストで効率の良い潜熱顕熱分離方式の空調システム１を提供することが可能となる。
【０１０９】
また、本実施形態にかかる空調システム１は、制御部は、あらかじめ、還気ＲＡが兼用ローター１２を通過する前の再生温度と兼用ローター１２の性能から決定する除湿ラインと、所定の目標湿度ラインと、兼用ローター１２の性能から除湿時の勾配を求め、目標湿度ラインと除湿ラインの交点を通るデシカント勾配線と、を設定し、外気ＯＡの湿度が目標湿度ラインより低湿度の場合、兼用ローター１２を全熱交換機能で使用する全熱交モード領域、外気ＯＡの温湿度がデシカント勾配線と目標湿度ラインの間の場合、兼用ローター１２をデシカント機能で使用するデシカントモード領域、外気ＯＡの温湿度がデシカント勾配線と目標湿度ラインよりも高温湿度の場合、兼用ローター１２を全熱交換機能で使用する全熱交＋アフタークールモード領域を設定するので、外気ＯＡの状態に応じて的確に温度制御することが可能となる。
【０１１０】
また、本実施形態にかかる空調システム１は、兼用ローター１２を通過する前の外気ＯＡを冷却するプレクーラー１１と、兼用ローター１２を通過した外気ＯＡと居室３０から送風される還気ＲＡを熱交換する顕熱ローター１３と、顕熱ローター１３を通過した外気ＯＡに居室３０から送風される還気ＲＡを混合する混合部５０と、混合部５０を通過した外気ＯＡを冷却し、居室３０側に送風するアフタークーラー１４と、顕熱ローター１３を通過した還気ＲＡが加熱され、兼用ローター１２に送風される再生ヒーター１５と、を備えるので、簡単な構成でシステムを構成することが可能となる。
【０１１１】
また、本実施形態にかかる空調システム１は、制御部は、全熱交モード領域では、兼用ローター１２を全熱交換機能で使用するようにＯＮとし、プレクーラー１１、顕熱ローター１３、アフタークーラー１４、及び再生ヒーター１５をＯＦＦとするので、状況に応じた効率的な運転が可能となる。
【０１１２】
また、本実施形態にかかる空調システム１は、制御部は、デシカントモード領域では、兼用ローター１２をデシカント機能で使用するようにＯＮとし、顕熱ローター１３、及び再生ヒーター１５をＯＮとし、プレクーラー１１及びアフタークーラー１４をＯＦＦとするので、状況に応じた効率的な運転が可能となる。
【０１１３】
また、本実施形態にかかる空調システム１は、制御部は、全熱交＋アフタークールモード領域では、兼用ローター１２を全熱交換機能で使用するようにＯＮとし、アフタークーラー１４をＯＮとし、プレクーラー１１、顕熱ローター１３、及び再生ヒーター１５をＯＦＦとし、居室３０の潜熱負荷に応じて、混合部５０への還気ＲＡの量を制御するので、状況に応じた効率的な運転が可能となる。
【０１１４】
また、本実施形態にかかる空調システム１は、制御部は、全熱交＋アフタークールモード領域で、且つ、居室３０内の温度があらかじめ設定した温度よりも低い場合、兼用ローター１２をデシカント機能で使用するようにＯＮとし、プレクーラー１１、顕熱ローター１３、及び再生ヒーター１５をＯＮとし、アフタークーラー１４をＯＦＦとするので、状況に応じた効率的な運転が可能となる。
【０１１５】
本実施形態にかかる空調方法は、外気ＯＡの温湿度を取得する手順と、外気ＯＡの温湿度と所定の温湿度条件を比較して、兼用ローター１２の回転数を切り換える手順と、を有するので、実質的に全熱交換ローターをベースとした空調システム１で構成することができ、低コストで効率の良い潜熱顕熱分離方式の空調方法を提供することが可能となる。
【０１１６】
また、本実施形態にかかる空調方法は、あらかじめ、還気ＲＡが兼用ローター１２を通過する前の再生温度と兼用ローター１２の性能から決定する除湿ラインと、所定の目標湿度ラインと、兼用ローター１２の性能から除湿時の勾配を求め、目標湿度ラインと除湿ラインの交点を通る勾配線と、が設定する手順と、外気ＯＡの湿度が目標湿度ラインより低湿度の場合、兼用ローター１２を全熱交換機能で使用する全熱交モード領域、外気ＯＡの温湿度が勾配線と目標湿度ラインの間の場合、兼用ローター１２をデシカント機能で使用するデシカントモード領域、外気ＯＡの温湿度が勾配線と目標湿度ラインよりも高温湿度の場合、兼用ローター１２を全熱交換機能で使用する全熱交＋アフタークールモード領域に属するとそれぞれ判定する手順と、を有するので、外気ＯＡの状態に応じて的確に温度制御することが可能となる。
【０１１７】
また、本実施形態にかかる空調方法は、全熱交モード領域では、外気ＯＡを全熱交換機能で使用する兼用ローター１２に通過させ、冷却除湿する手順を有するので、状況に応じた効率的な運転が可能となる。
【０１１８】
また、本実施形態にかかる空調方法は、デシカントモード領域では、兼用ローター１２をデシカント機能で使用し、外気ＯＡを除湿する手順と、兼用ローター１２で除湿された外気ＯＡの熱を顕熱ローターで奪う手順と、を有するので、状況に応じた効率的な運転が可能となる。
【０１１９】
また、本実施形態にかかる空調方法は、全熱交＋アフタークールモード領域では、外気ＯＡを全熱交換機能で使用する兼用ローター１２に通過させ、冷却除湿する手順と、居室３０の湿度が所定の設定値より高い場合、兼用ローター１２を通過した外気ＯＡに、居室３０から送風された還気ＲＡを混合する手順と、還気ＲＡと混合した外気ＯＡを冷却除湿する手順と、を有するので、状況に応じた効率的な運転が可能となる。
【０１２０】
また、本実施形態にかかる空調方法は、全熱交＋アフタークールモード領域では、居室３０内の温度があらかじめ設定した温度よりも低い場合、兼用ローター１２をデシカント機能で使用し、外気ＯＡを除湿する手順と、兼用ローター１２で除湿された外気ＯＡの熱を顕熱ローター１３で奪う手順と、を有するので、状況に応じた効率的な運転が可能となる。
【０１２１】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【０１２２】
１…空調システム
１０…第１空調機
１２…兼用ローター
１３…顕熱ローター
１４…アフタークーラー
１５…再生ヒーター
２０…第２空調機
２１…冷却コイル
２２…温水コイル
３０…居室
３１…流路
５０…混合部
ＶＤ…調整ダンパ
【図１】
0006472199.tif 000002
【図２】
0006472199.tif 000003
【図３】
0006472199.tif 000004
【図４】
0006472199.tif 000005
【図５】
0006472199.tif 000006
【図６】
0006472199.tif 000007
【図７】
0006472199.tif 000008
【図８】
0006472199.tif 000009
【図９】
0006472199.tif 000010
【図１０】
0006472199.tif 000011
【図１１】
0006472199.tif 000012
【図１２】
0006472199.tif 000013
【図１３】
0006472199.tif 000014
【図１４】
0006472199.tif 000015
【図１５】
0006472199.tif 000016
【図１６】
0006472199.tif 000017